(57)【要約】      （修正有）【課題】危険な量の塩素ガスを放出することなく酸性活性塩素水を供給することができる酸性活性塩素水調製具を提供する。【解決手段】１対の容器２１と液体排出装置１２とを有し、各容器にはそれぞれ次亜塩素酸ナトリウム水溶液および酸性溶液が封入されており、前記液体排出装置は、各容器を収容可能な収容部３１と、各容器から前記次亜塩素酸ナトリウム水溶液および前記酸性溶液を排出可能な加圧部２４とを有することを、特徴とする。【選択図】図１
0003151854.tif 000002
【実用新案登録請求の範囲】
【請求項１】
１対の容器と液体排出装置とを有し、
各容器にはそれぞれ次亜塩素酸ナトリウム水溶液および酸性溶液が封入されており、
前記液体排出装置は、各容器を収容可能な収容部と、各容器から前記次亜塩素酸ナトリウム水溶液および前記酸性溶液を排出可能な加圧部とを有することを、
特徴とする酸性活性塩素水調製具。
【考案の詳細な説明】
【技術分野】
【０００１】
本考案は、酸性活性塩素水調製具に関する。
【背景技術】
【０００２】
活性塩素水溶液が、漂白作用、脱臭作用、消毒作用、殺菌作用、殺ビールス作用を有することに関しては、すでに周知された事実であり、これらの特性・機能は、今日幅広い分野で利用されている。活性塩素水溶液は、主として、比較的安定な高濃度（1％〜12％＝1万〜12万 ppm）のアルカリ性次亜塩素酸ナトリウム（NaClO 分子量74.44）水溶液として市場に供給され、一般には、ユーザーが使用目的に応じて、適正な濃度に稀釈して用いている。なお、市販品には、分野に応じて濃度規制があり、特例を除けば、1万 ppm以下の低濃度のものは存在しない。
【０００３】
なかでも、歯科医療分野にあっては、3〜6％および10％（3万〜6万 ppmおよび10万 ppm）濃度の次亜塩素酸ナトリウム水溶液が、「アンチホルミン」の名称にて、歯科用医薬品として日本薬局法に収載され、感染根管治療時の根幹拡大・清掃剤として日常的に使用されている。また、この次亜塩素酸ナトリウム水溶液は、各適正濃度に稀釈されて、手・指・皮膚の消毒、手術部位の皮膚や粘膜の消毒、あるいは、医療用具、さらに手術室、病室、リネン、家具類、排泄物の消毒などにも幅広く用いられている。根管清掃剤としての使用時には、一般に強アルカリ性できわめて高濃度のものが重用されているが、このような例では、この溶液の有機物（膿汁や腐敗組織片など）溶解作用を利用した応用法であると言える。しかし、このような高濃度かつ高アルカリの溶液が人体組織と接触するような状況で用いられる場合にあっては、その組織溶解作用に起因する刺激作用や発炎症作用など、副次的な好ましからざる作用の発現が知られている。
【０００４】
次亜塩素酸ナトリウム水溶液は、一般医療分野においても幅広く用いられており、その利用法や応用の範囲は歯科医療におけるものとほぼ同様であるが、医療用の消毒剤として認可されているものはない。医療用については、SARSなどへの危機対策の一環として、伝染病予防法に基づく法定代用消毒剤に指定されている他、通常は医療用として、1％、6％および10％濃度の溶液が市販されている。
【０００５】
次亜塩素酸ナトリウム水溶液の殺菌・消毒剤としての他の応用に関しては、食品添加物・殺菌消毒料として、水、野菜、魚介、食肉、その他の食品、食器類、調理用器機などの消毒に幅広く用いられているほか、漂白剤、酸化剤、廃水処理剤として使用されている。次亜塩素酸ナトリウム水溶液は、消毒剤として市販されてはいないが、漂白剤として市販されており、「キッチンハイター（花王株式会社）」や「ブライト（ライオン株式会社）」の名称で日常的に最も身近なところで利用されている。また、次亜塩素酸ナトリウム水溶液は、低濃度のものが水道水やプールの消毒にも利用されており、その効果や安全性については、最も実績のある消毒剤である。
【０００６】
一般に、次亜塩素酸ナトリウム水溶液については、一部に毒性や蓄積性あるいは発癌性があるとか、アトピーの要因であるかのように言われることもあるが、これらを裏付ける信頼すべき学問的根拠は見当たらない。
【０００７】
アルカリ性の次亜塩素酸ナトリウム水溶液に希塩酸、リン酸あるいはその他の有機酸などを加え酸性にシフトすると、NaClOのかたちで溶存していた活性塩素種は、大半がHClOとして溶存することとなり、化学的に不安定で高活性の塩素種にシフトするといわれている。これにより、消毒活性は20倍から100倍以上に高まることから、活性塩素種の溶存がきわめて低濃度（10〜20 ppm）であっても、きわめて短時間で、幅広い病原性微生物を不活化できることが明らかにされている。このことは、活性塩素水溶液を酸性にシフトして用いれば、活性塩素の溶存濃度をきわめて低い濃度（10〜20 ppm程度）、すなわち皮膚や粘膜あるいは創傷面に腐食性や刺激性をまったく示さない濃度（80 ppm程度以下と考えられる）まで稀釈して用いても、きわめて広範な病原微生物に対する俊敏なる不活化（殺菌・殺ビールス）機能を損なうことなく、肌に優しい、環境に優しい消毒液として用いることができることを意味している。
【０００８】
これまでに、電解法により低濃度の食塩水から精製される酸性の機能水、すなわち、低濃度の活性塩素を溶存する「電解酸性機能水」は、刺激性や毒性のきわめて少ない消毒液として、医療や歯科治療あるいは幅広い食品産業分野などで重用され、所期の秀逸なる実績が数多く報告されている。しかし、現状において、活性塩素水溶液をこのように酸性の水溶液として商品化し、供給して用いるには、次に述べる２つの課題をクリアーしておかなければならない。
【０００９】
１つ目の課題は、酸性の活性塩素水溶液そのものが、化学的に不安定であり、高活性であるが故に、長期保存できないことである。この課題に対する解決策の１つは、これまでに最も多用されている方法、すなわち、使用現場の近傍に電解生成装置を設置して酸性の低濃度活性塩素水溶液を生成し、生成直後にこの水を使用する方法である。他の解決策は、無隔膜電解法により、低濃度の食塩水から、肌に触れても安全な濃度でアルカリ性の活性塩素水溶液を生成して瓶詰めしておき、これを活性剤として用いる小瓶に詰めた酸性の水溶液と共に供給し、使用時にはユーサーが活性塩素水溶液に活性剤を加え、適正濃度に稀釈して用いる方法である（例えば、特許文献１参照）。
【００１０】
もう１つの課題は、活性塩素水溶液が、法令の定めるところによる濃度規制により、一部の例外（無隔膜電解法により生成したアルカリ性電解水は、低濃度のものも市販できる）を除いては、安定な高アルカリ性の次亜塩素酸ナトリウム水溶液として、きわめて高濃度のもののみが市販されており、これに酸性溶液を加えて酸性にシフトして用いようとすれば、大量の塩素ガスが放出することとなり、きわめて危険であるという点である。過去に、このような使用例における死亡事故が経験されており、今日では、市販の漂白剤には「酸を混ぜるな！危険」などの警告（法的規制はないが、業界の自主的判断による）が明記されている。
【００１１】
このような危険をさける方法として、食品添加物として市販可能な「電解法により生成される低濃度のアルカリ性次亜塩素酸ナトリウム水溶液」を、酸性にシフトしても危険な量の塩素ガスを放出しない濃度レベルに調整し、これを酸性の水溶液から成る活性化剤と併せて商品化し、市販する方法が実用化されている。
【先行技術文献】
【特許文献】
【００１２】
【特許文献１】特許第３６４８５６９号公報
【考案の概要】
【考案が解決しようとする課題】
【００１３】
次亜塩素酸ナトリウム水溶液と酸性溶液とを加えたときに、危険な量の塩素ガスを放出しない方法として、電解法により生成される低濃度のアルカリ性次亜塩素酸ナトリウム水溶液の濃度レベルを調整する方法が実用化されているが、その濃度レベルでは、次亜塩素酸ナトリウム水溶液の濃度規制に触れるため、次亜塩素酸ナトリウム水溶液として流通できないという課題があった。
【００１４】
本考案は、このような課題に着目してなされたもので、比較的安定な高濃度の次亜塩素酸ナトリウム水溶液を使用して、危険な量の塩素ガスを放出することなく酸性活性塩素水を供給することができる酸性活性塩素水調製具を提供することを目的とする。
【課題を解決するための手段】
【００１５】
上記目的を達成するために、本考案に係る酸性活性塩素水調製具は、１対の容器と液体排出装置とを有し、各容器にはそれぞれ次亜塩素酸ナトリウム水溶液および酸性溶液が封入されており、前記液体排出装置は、各容器を収容可能な収容部と、各容器から前記次亜塩素酸ナトリウム水溶液および前記酸性溶液を排出可能な加圧部とを有することを、特徴とする。
【００１６】
本考案に係る酸性活性塩素水調製具は、さらに安全性を確保する目的で、(1)１対の容器は、排出装置のみに装着できる、(2)排出装置を用いなければ、各液体は取り出すことができない、(3)排出装置は、稀釈用容器（通常は、プラスチック製で、３〜１５リットル）に連結固定して用いる、ように設計することが好ましい。
【００１７】
本考案に係る酸性活性塩素水調製具は、より具体的には、１対の容器と液体排出装置とを有し、各容器は密封可能な開口を有し、それぞれ次亜塩素酸ナトリウム水溶液および酸性溶液が封入されており、前記液体排出装置は、各容器を並べて収容可能に設けられた収容部と、各容器に封入された前記次亜塩素酸ナトリウム水溶液および前記酸性溶液を前記開口から排出するよう、前記収容部に収容された各容器の一部を内側に向かって押し込む加圧部とを有していてもよい。
【００１８】
本考案に係る酸性活性塩素水調製具は、好ましくは、カプセルやアンプル、カートリッジ、ミニボトルなどを組み合わせた１対の容器から成るものとし、各容器の一方に、高濃度で安定なアルカリ性の次亜塩素酸ナトリウム水溶液 20 cc以下の適量を封入し、他方の容器に、活性化剤として 20 cc以下の適量の酸性溶液を封入して使用される。使用時に、液体排出装置の収容部に各容器を収容し、加圧部により各容器の一部を内側に向かって押し込むことにより、各容器に封入された次亜塩素酸ナトリウム水溶液および酸性溶液を、各容器の開口から排出することができる。
【００１９】
このとき、排出した次亜塩素酸ナトリウム水溶液および酸性溶液を、稀釈用容器やバケツなど、あるいは液体排出装置に設けた混合室などに入れることにより、次亜塩素酸ナトリウム水溶液と酸性溶液とを混合して酸性活性塩素水を製造することができる。液体排出装置内あるいは稀釈用容器内で混合後、適当な濃度に稀釈して、消毒液等として使用することができる。
【００２０】
次亜塩素酸ナトリウム水溶液の活性塩素量を、発生する塩素ガス吸入による危険を生じ得ない量（10％×10 cc相当量以下）にあらかじめ調整しておくことにより、危険な量の塩素ガスを放出することなく酸性活性塩素水を安全に供給、使用することができる。なお、開口は、各容器を収容部に収容したときに開けられてもよく、加圧部により各容器の一部を押し込んだときに開けられてもよい。また、あらかじめ開口を開けておいてから、加圧部により押し込んで排出してもよい。
【考案の効果】
【００２１】
本考案によれば、比較的安定な高濃度の次亜塩素酸ナトリウム水溶液を使用して、危険な量の塩素ガスを放出することなく酸性活性塩素水を供給することができる酸性活性塩素水調製具を提供することができる。
【図面の簡単な説明】
【００２２】
【図１】本考案の第１の実施の形態の酸性活性塩素水調製具を示す縦断面図である。
【図２】図１示す酸性活性塩素水調製具の各軸部材の変形例を示す拡大断面図である。
【図３】本考案の第２の実施の形態の酸性活性塩素水調製具を示す（ａ）平面図、（ｂ）断面図である。
【考案を実施するための形態】
【００２３】
以下、図面に基づき本考案の実施の形態について説明する。
図１は、本考案の第１の実施の形態の酸性活性塩素水調製具を示している。
図１に示すように、酸性活性塩素水調製具１０は、ツインカートリッジ１１と液体排出装置１２とを有している。
【００２４】
ツインカートリッジ１１は、１対のガラス製またはプラスチック製の容器２１を有している。各容器２１は、縦長の筒状の容器本体２１ａと、容器本体２１ａの一端の開口を塞ぐ合成ゴム製の蓋部材２１ｂと、容器本体２１ａの他端の開口を塞ぐ樹脂製または合成ゴム製のピストン部材２１ｃとを有している。ピストン部材２１ｃは、容器本体２１ａの内壁に沿ってスライド可能になっている。各容器２１は、蓋部材２１ｂおよびピストン部材２１ｃにより密封された容器本体２１ａの内部に、それぞれ、高濃度で安定なアルカリ性の次亜塩素酸ナトリウム水溶液 20 cc以下の適量、および、活性化剤として適量の酸性溶液が封入されている。なお、次亜塩素酸ナトリウム水溶液は、その活性塩素量を、酸性溶液と混合したときに発生する塩素ガスの吸入により危険を生じ得ない量（10％×10 cc相当量以下）にあらかじめ調整してある。各容器２１は、容器本体２１ａが同じ向きで互いに平行になるよう、連結部材２２により並列に連結されている。
【００２５】
液体排出装置１２は、収容混合部２３と加圧部２４とを有している。収容混合部２３は、やや細長い直方体の外形を有し、収容部３１と混合室３２と１対の管状突起３３と排出管３４とを有している。収容部３１は、収容混合部２３の一方の端面に開口３１ａを有し、ツインカートリッジ１１の外形とほぼ同じ形および大きさで形成されている。収容部３１は、各容器２１の蓋部材２１ｂの側を奥に向けて、開口３１ａからツインカートリッジ１１を収容するようになっている。収容部３１は、内壁との間にほとんど隙間なくツインカートリッジ１１を収容可能になっている。
【００２６】
混合室３２は、壁を隔てて収容部３１に隣接して形成されている。混合室３２は、収容部３１の奥の、収容混合部２３の他方の端面側に設けられている。混合室３２は、収容混合部２３の他方の端面に、排出口３２ａを有している。
【００２７】
１対の管状突起３３は、混合室３２と収容部３１とを連通するよう、混合室３２と収容部３１との間の壁を貫通して、互いに平行に設けられている。各管状突起３３は、両端が混合室３２および収容部３１に突出しており、収容部３１の側の先端３３ａが傾斜して尖っている。各管状突起３３は、収容部３１にツインカートリッジ１１を収容したとき、収容部３１の側の先端３３ａが各容器２１の蓋部材２１ｂを貫通するよう配置されている。これにより、各管状突起３３は、収容部３１の側の先端３３ａが各容器２１の蓋部材２１ｂを貫通して、各容器２１の内部に連通するようになっている。排出管３４は、混合室３２に連通するよう、混合室３２の排出口３２ａに接続されている。排出管３４は、先端が収容混合部２３の他方の端面から突出している。
【００２８】
加圧部２４は、キャップ本体３５とハンドル３６とを有している。キャップ本体３５は、収容部３１の開口３１ａを覆うよう、収容混合部２３に装着可能に設けられている。また、キャップ本体３５は、収容混合部２３に対して着脱可能になっている。キャップ本体３５は、フックなどに引っ掛けたり、紐を通したりするための貫通孔３５ａを有している。
【００２９】
ハンドル３６は、操作部３６ａと、操作部３６ａに接続され、互いに平行に設けられた１対の軸部材３６ｂとを有している。ハンドル３６は、各軸部材３６ｂがキャップ本体３５を貫通しており、各軸部材３６ｂがキャップ本体３５に対して長さ方向に沿ってスライド可能になっている。ハンドル３６は、キャップ本体３５を収容混合部２３に装着したとき、各軸部材３６ｂの先端が、それぞれ収容部３１に収容されたツインカートリッジ１１の各容器２１のピストン部材２１ｃに相対するよう設けられている。ハンドル３６は、操作部３６ａを収容混合部２３に向かって押すことにより、各軸部材３６ｂがキャップ本体３５に対してスライドして、各容器２１のピストン部材２１ｃを容器本体２１ａの内部に向かって同時に押し込むよう構成されている。ハンドル３６は、押し込まれた各軸部材３６ｂを元の位置まで戻すよう、操作部３６ａとキャップ本体３５との間に設けられた１対のコイルスプリング３６ｃを有している。各コイルスプリング３６ｃは、内部にそれぞれ各軸部材３６ｂが挿入されている。
【００３０】
次に、作用について説明する。
酸性活性塩素水調製具１０は、まず、ツインカートリッジ１１を液体排出装置１２の収容混合部２３の収容部３１に収容する。このとき、各容器２１の蓋部材２１ｂの側を収容部３１の奥に向けて、開口３１ａからツインカートリッジ１１を収容する。ツインカートリッジ１１を収容部３１に収容すると、各管状突起３３が各容器２１の蓋部材２１ｂを貫通し、各容器２１の内部に連通する。
【００３１】
次に、加圧部２４のキャップ本体３５を、収容部３１の開口３１ａを覆うよう収容混合部２３に装着する。ハンドル３６の操作部３６ａを収容混合部２３に向かって押し、各軸部材３６ｂにより各容器２１のピストン部材２１ｃを容器本体２１ａの内部に向かって押し込む。これにより、各容器２１に封入された次亜塩素酸ナトリウム水溶液および酸性溶液を、各容器２１の一端の開口から各管状突起３３を通って混合室３２に排出することができる。混合室３２に排出された次亜塩素酸ナトリウム水溶液および酸性溶液は、混合室３２で混合されて排出口３２ａから排出管３４を通って排出される。こうして、次亜塩素酸ナトリウム水溶液と酸性溶液とを混合して酸性活性塩素水を製造し、供給することができる。この製造された酸性活性塩素水を適当な濃度に稀釈して、消毒液等として使用することができる。
【００３２】
酸性活性塩素水調製具１０は、次亜塩素酸ナトリウム水溶液の活性塩素量を、発生する塩素ガス吸入による危険を生じ得ない量（10％×10 cc相当量以下）にあらかじめ調整しているため、危険な量の塩素ガスを放出することなく酸性活性塩素水を供給することができる。また、混合室３２で次亜塩素酸ナトリウム水溶液と酸性溶液とが混合されるため、作業者が各液体を１つの容器に入れて混ぜ合わせる労力や時間を省くことができる。このように、酸性活性塩素水調製具１０は、ツインカートリッジ１１の収容部３１への収容と、ハンドル３６の操作とを行うだけで、安全かつ容易に混合液を製造することができる。特に、作業者が各液体に直接触れることがないため、安全に使用可能である。
【００３３】
なお、図１に示すように、酸性活性塩素水調製具１０は、キャップ本体３５に、ハンドル３６を操作するときに液体排出装置１２を支えるための把持部４１を有していてもよい。この場合、片方の手で把持部４１を持って液体排出装置１２を支えることにより、もう片方の手でハンドル３６を容易に操作することができる。また、混合室３２の内部に、各軸部材３６ｂの動きに連動して回転する撹拌羽根を有していてもよい。この場合、ハンドル３６の操作により各軸部材３６ｂがピストン部材２１ｃを押し込むとき、混合室３２の内部で撹拌羽根が回転し、混合室３２に入った次亜塩素酸ナトリウム水溶液と酸性溶液とを撹拌して混合することができる。
【００３４】
また、図２に示すように、各軸部材３６ｂは、先端部３６ｄが長さや形状が異なるものに交換できるよう着脱可能に設けられていてもよく、また、先端に延長部材４２を取付可能になっていてもよい。この場合、先端部３６ｄを長くしたり、延長部材４２を取り付けたりすることにより、各容器２１のピストン部材２１ｃを、各容器２１のより奥まで押し込むことができる。これにより、各容器２１の内部の次亜塩素酸ナトリウム水溶液および酸性溶液を、各容器２１の内部に残さず、全て混合室３２に排出することができる。また、各容器２１の長さが短いものであっても、その長さに合わせて、先端部３６ｄの長さや延長部材４２を調整することにより、液体排出装置１２で使用することができる。
【００３５】
図３は、本考案の第２の実施の形態の酸性活性塩素水調製具を示している。
図３に示すように、酸性活性塩素水調製具５０は、１対の容器（ツインミニボトル）５１と液体排出装置５２とを有している。
【００３６】
各容器（ツインミニボトル）５１は、ポリエチレンテレフタレート製で、細長い容器本体５１ａとキャップ５１ｂとを有している。容器本体５１ａは、一端が細くなって突出するよう設けられたネック部５１ｃと、ネック部５１ｃの先端に形成された開口５１ｄとを有している。キャップ５１ｂは、容器本体５１ａの開口５１ｄを密封可能になっている。各容器５１は、キャップ５１ｂにより密封された容器本体５１ａの内部に、それぞれ、高濃度で安定なアルカリ性の次亜塩素酸ナトリウム水溶液 20 cc以下の適量、および、活性化剤として適量の酸性溶液が封入されている。なお、次亜塩素酸ナトリウム水溶液は、その活性塩素量を、酸性溶液と混合したときに発生する塩素ガスの吸入により危険を生じ得ない量（10％×10 cc相当量以下）にあらかじめ調整してある。また、各容器（ツインミニボトル）５１は、それらの外部が固形の容器に収納され、液体排出装置５２に装着しなければ排出できないよう設計されている。
【００３７】
液体排出装置５２は、収容部６１と加圧部６２とを有している。収容部６１は、底板６１ａおよび４つの側壁６１ｂに囲まれたほぼ直方体状の収容室６１ｃを有している。収容部６１は、１つの側壁６１ｂが低く形成され、その側壁６１ｂの上縁に沿って外側に向かって突出したフランジ６１ｄを有している。収容室６１ｃは、各容器５１のネック部５１ｃを側壁６１ｂからフランジ６１ｄの上に設置した状態で、各容器５１を並べて収容可能になっている。収容部６１は、少なくとも各側壁６１ｂの上部と、収容室６１ｃに収容された各容器５１のネック部５１ｃの上部を覆うよう設けられた枠状の抑え部材６１ｅを有している。抑え部材６１ｅは、フランジ６１ｄを有する側壁６１ｂの反対側の側壁６１ｂに蝶番により固定され、収容室６１ｃの上部で上下動可能に設けられている。なお、収容室６１ｃは、各容器５１を所定の位置に収容できるよう、中央に仕切り壁６１ｆを有している。
【００３８】
加圧部６２は、フランジ６１ｄを有する側壁６１ｂの反対側の側壁６１ｂに蝶番６３により固定され、抑え部材６１ｅの内側の、収容室６１ｃに収容された各容器５１の上部で上下動可能に設けられている。加圧部６２は、各容器５１に向かって下ろしたとき、各容器５１の中央付近を内側に向かって押し込むよう、収容室６１ｃ側の面に設けられた凸部６２ａを有している。
【００３９】
次に、作用について説明する。
酸性活性塩素水調製具５０は、まず、各容器５１を液体排出装置５２の収容部６１の収容室６１ｃに収容する。次に、各容器５１のキャップ５１ｂを開け、抑え部材６１ｅを下ろしてネック部５１ｃで各容器５１を抑える。加圧部６２を各容器５１に向かって下ろし、凸部６２ａで各容器５１の中央付近を内側に向かって押し込む。これにより、各容器５１に封入された次亜塩素酸ナトリウム水溶液および酸性溶液を、各容器５１の開口５１ｄから排出することができる。なお、酸性活性塩素水調製具５０は、加圧部６２を２〜１０回に分けて押し込むことにより、溶液全量を排出できるよう設計されていてもよい。
【００４０】
排出した次亜塩素酸ナトリウム水溶液および酸性溶液を、専用の稀釈用容器あるいはバケツなどの容器に入れることにより、次亜塩素酸ナトリウム水溶液と酸性溶液とを混合して酸性活性塩素水を製造することができる。混合後、適当な濃度に稀釈して、消毒液等として使用することができる。なお、安全確保のため、液体排出装置５２を専用の稀釈用容器と連結固定して用いる方法を用いることができる。
【００４１】
酸性活性塩素水調製具５０は、次亜塩素酸ナトリウム水溶液の活性塩素量を、発生する塩素ガス吸入による危険を生じ得ない量（10％×10 cc相当量以下）にあらかじめ調整しているため、危険な量の塩素ガスを放出することなく酸性活性塩素水を供給することができる。このように、酸性活性塩素水調製具５０は、各容器５１の収容室６１ｃへの収容と、加圧部６２の操作とを行うだけで、安全かつ容易に混合液を製造することができる。特に、作業者が各液体に直接触れることがないため、安全に使用可能である。
【００４２】
本考案の第３の実施の形態は、２連のプラスチック製使い捨て（ディスポーザブル）シリンジを用いるものである。シリンジの一方にアルカリ性の次亜塩素ナトリウム水溶液 20 cc以下の適量、他方に活性化剤として適量の酸性溶液を封入しておき、使用時にこれらの溶液を注射混合し、適当な濃度に稀釈して用いる。これらを混合したときに発生する塩素ガスの発生量を微量にとどめ、吸入しても危険を生じ得ない量（10％×10 cc相当量以下）にあらかじめ調整して用いる。
【符号の説明】
【００４３】
１０  酸性活性塩素水調製具
１１  ツインカートリッジ
１２  液体排出装置
２１  容器
２１ａ  容器本体
２１ｂ  蓋部材
２１ｃ  ピストン部材
２２  連結部材
２３  収容混合部
２４  加圧部
３１  収容部
３２  混合室
３３  管状突起
３４  排出管
３５  キャップ本体
３６  ハンドル
３６ａ  操作部
３６ｂ  軸部材
３６ｃ  コイルスプリング
３６ｄ  先端部
４２  延長部材
５０  酸性活性塩素水調製具
５１  容器（ツインミニボトル）
５１ａ  容器本体
５１ｂ  キャップ
５１ｃ  ネック部
５１ｄ  開口
５２  液体排出装置
６１  収容部
６１ａ  底板
６１ｂ  側壁
６１ｃ  収容室
６１ｄ  フランジ
６１ｅ  抑え部材
６１ｆ  仕切り壁
６２  加圧部
６２ａ  凸部
６３  蝶番
【図１】
0003151854.tif 000003
【図２】
0003151854.tif 000004
【図３】
0003151854.tif 000005